(57)【要約】【課題】ＳＰＣシステムへデータ送信するプログラムの作成負荷を軽減し、ＳＰＣシステムで参照したい情報の変更やＳＰＣシステムへ接続する検査測定装置側のデータ仕様の変更や装置の増設に際して、データ送信側プログラムの修正をすることなく簡易に対応できる、汎用性の高いデータ送信システムを提供する。【解決手段】生産ラインが備える各検査測定装置から出力される各検査測定データを収集するデータ収集手段と、  定義情報を参照して、前記データ収集手段によって収集された前記各検査測定データから、品質異常判定に用いるデータを取り出し、ＳＰＣシステムが取得可能な形式に加工することにより、前記品質異常判定に用いるデータを、前記ＳＰＣシステムが取得可能な形式で作成するデータ作成プログラムと、  前記データ作成プログラムで作成したデータを、前記ＳＰＣシステムに送信するデータ送信手段とを備えることを特徴とするデータ送信システム。【選択図】図１
2008117260.tif 000002
【特許請求の範囲】
【請求項１】
生産ラインで生産される製品の品質特性について異常の有無を判定するＳＰＣシステムに、前記判定に用いるデータを、前記ＳＰＣシステムが取得可能な形式で送信するデータ送信システムであって、
前記生産ラインが備える各検査測定装置から出力される各検査測定データを収集するデータ収集手段と、
前記各検査測定データの形式の情報と、前記各検査測定データから前記判定に用いるデータを取り出すための情報と、取り出したデータを前記ＳＰＣシステムが取得可能な形式に加工するための情報とを、前記各検査測定装置毎に定義した定義情報を参照して、前記データ収集手段によって収集された前記各検査測定データから、前記判定に用いるデータを取り出し、前記ＳＰＣシステムが取得可能な形式に加工することにより、前記判定に用いるデータを、前記ＳＰＣシステムが取得可能な形式で作成するデータ作成プログラムと、
前記データ作成プログラムで作成したデータを、前記ＳＰＣシステムに送信するデータ送信手段とを備えることを特徴とするデータ送信システム。
【請求項２】
前記定義情報は、ネットワーク内に配した他のデータベースシステムへの接続情報と、前記データベースシステムから取得する前記各検査測定データが持っていない情報とをも定義したものであり、
前記データ作成プログラムは、これら情報をも定義した前記定義情報を参照して、前記データベースシステムに接続することにより、前記各検査測定データが持っていない情報を取得し、前記判定に用いるデータとして前記各検査測定データに付加することを特徴とする請求項１記載のデータ送信システム。
【発明の詳細な説明】
【技術分野】
【０００１】
本発明は、製造工程における検査測定データを取得し、ＳＰＣ（Ｓｔａｔｉｓｔｉｃａｌ  Ｐｒｏｃｅｓｓ  Ｃｏｎｔｒｏｌ）システム等の品質異常を監視・管理するシステムにデータを送信するデータ送信システムに関する。
【背景技術】
【０００２】
従来から、製造工程における品質管理において、ＳＰＣ（Ｓｔａｔｉｓｔｉｃａｌ  Ｐｒｏｃｅｓｓ  Ｃｏｎｔｒｏｌ）と呼ばれる統計的管理手法が用いられている。
【０００３】
このＳＰＣによる品質管理を行うためのコンピュータシステム（以後、ＳＰＣシステムとも云う）は、生産ライン内の複数の装置から収集された大量のデータに基いて、統計的処理を行って管理図を作成し、各装置での品質の傾向を監視し、品質異常と判定された場合に警告を発し、異常の早期発見を促すシステムである。
【０００４】
通常ＳＰＣシステムは、検査測定装置からの検査測定値の生値データおよび、検査測定装置に関する情報、検査した製品に関する情報などを含む検査測定データを受け取り、装置毎に管理図と検査測定データに付随した装置や製品情報をモニタ表示し、異常判定時には警告を発するような機能を有しており、この機能をコンピュータに実現するパッケージソフトとしても販売されている。
【０００５】
前記のようなＳＰＣシステムに検査測定装置からの検査測定データを渡すに際しては、通常ＳＰＣシステムとのソフトウェアインターフェイスを介して渡すため、インターフェイスの仕様に合わせて統一された形式のデータに加工する必要があり、その為のプログラムが必要である。
【０００６】
また、製造工程において各検査測定装置はその処理工程や測定内容によって種々存在するため、それら検査測定装置が出力する検査測定データの形式は様々であり、その形式の数だけ対応するプログラムが必要であった。
【０００７】
また、装置側でのデータ形式変更やＳＰＣシステム側にて参照したい情報の変更、追加、またＳＰＣシステムへの接続装置の追加を行う場合、それに応じてプログラムの修正や追加が必要であった。
【０００８】
本発明に関連する先行技術文献としては、特許文献１がある。特許文献１には、複数の検査測定装置での検査測定データを統一した形式にしてデータ収集し、統計処理やグラフ等を画面表示するシステムで、検査測定装置各々のＰＬＣ（Ｐｒｏｇｒａｍ  Ｌｏｇｉｃ
Ｃｏｎｔｒｏｌｌｅｒ）等において、データ収集手段へ共通した仕様のデータに変換して送信するシステムが提案されている。
【特許文献１】特開平５−１０８８４２号公報
【発明の開示】
【発明が解決しようとする課題】
【０００９】
上述のように従来の技術には、検査測定装置のデータ出力の仕様が種々存在する場合はその仕様の数だけ送信側でのプログラム対応が必要であるという問題があった。
【００１０】
また検査測定装置から取得するデータ仕様の変更や送信データ仕様の変更についても、
個々のプログラム修正が必要となるという問題があった。
【００１１】
そこで本発明は、ＳＰＣシステムへデータ送信するプログラムの作成負荷を軽減し、ＳＰＣシステムで参照したい情報の変更やＳＰＣシステムへ接続する検査測定装置側のデータ仕様の変更や装置の増設に際して、データ送信側プログラムの修正をすることなく簡易に対応できる、汎用性の高いデータ送信システムを提供することを課題とする。
【課題を解決するための手段】
【００１２】
本発明において上記課題を達成するために、まず請求項１の発明では、生産ラインで生産される製品の品質特性について異常の有無を判定するＳＰＣシステムに、前記判定に用いるデータを、前記ＳＰＣシステムが取得可能な形式で送信するデータ送信システムであって、
前記生産ラインが備える各検査測定装置から出力される各検査測定データを収集するデータ収集手段と、
前記各検査測定データの形式の情報と、前記各検査測定データから前記判定に用いるデータを取り出すための情報と、取り出したデータを前記ＳＰＣシステムが取得可能な形式に加工するための情報とを、前記各検査測定装置毎に定義した定義情報を参照して、前記データ収集手段によって収集された前記各検査測定データから、前記判定に用いるデータを取り出し、前記ＳＰＣシステムが取得可能な形式に加工することにより、前記判定に用いるデータを、前記ＳＰＣシステムが取得可能な形式で作成するデータ作成プログラムと、
前記データ作成プログラムで作成したデータを、前記ＳＰＣシステムに送信するデータ送信手段とを備えることを特徴とするデータ送信システムとしたものである。
【００１３】
また請求項２の発明では、前記定義情報は、ネットワーク内に配した他のデータベースシステムへの接続情報と、前記データベースシステムから取得する前記各検査測定データが持っていない情報とをも定義したものであり、
前記データ作成プログラムは、これら情報をも定義した前記定義情報を参照して、前記データベースシステムに接続することにより、前記各検査測定データが持っていない情報を取得し、前記判定に用いるデータとして前記各検査測定データに付加することを特徴とする請求項１記載のデータ送信システムとしたものである。
【発明の効果】
【００１４】
請求項１の発明によれば、各検査測定装置から出力される各検査測定データの形式の情報と、これら各検査測定データから品質異常判定に用いるデータを取り出すための情報と、取り出したデータをＳＰＣシステムが取得可能な形式に加工するための情報とを、各検査測定装置毎に定義した定義情報を参照して、それら情報を得ることにより、単一のデータ作成プログラムで、ＳＰＣシステムに送信するデータを作成できるので、各検査測定装置によってまちまちなデータ出力仕様であっても、検査測定装置ごとに定義情報を作成すればよく、ＳＰＣシステムへデータ送信するプログラムを、検査測定装置の種類ごとに用意する必要がなく、そのプログラムの作成負荷を軽減して、ＳＰＣによる品質管理を実施することができる。
【００１５】
また請求項１の発明によれば、データを収集する検査測定装置を増設する場合やそのデータ仕様の変更があった場合にプログラムを修正する必要がなく、定義情報だけを修正すればよいので、簡易にＳＰＣによる品質管理に係る検査測定装置を増やしたり変更したりすることができ、また、ＳＰＣシステムでの品質監視上で必要な情報を容易に変更できる。
【００１６】
また請求項２の発明によれば、検査測定データが持っていない情報を、ＳＰＣシステム
に送信するデータに含めることが容易にできる。
【００１７】
以上、本発明は、ＳＰＣシステムへデータ送信するプログラムの作成負荷を軽減し、ＳＰＣシステムで参照したい情報の変更やＳＰＣシステムへ接続する検査測定装置側のデータ仕様の変更や装置の増設に際して、データ送信側プログラムの修正をすることなく簡易に対応できる、汎用性の高いデータ送信システムを提供できるという効果がある。
【発明を実施するための最良の形態】
【００１８】
以下に、本発明の最良の一実施形態を、図を用いて詳細に説明する。
【００１９】
図１は本実施形態に係るデータ送信システムの一構成例とその一接続先例とを示す。
【００２０】
本実施形態に係わるデータ送信システム６は、通信ネットワーク４を介して、複数の検査測定装置１２または検査測定装置に接続されその検査測定装置から検査測定データを取得管理するコンピュータ（以下管理ＰＣ）１３を備える生産ライン１１と接続しており、また同様に通信ネットワーク４を介して、管理図を作成表示し品質異常判定処理を行う異常判定処理部３と、受信した品質異常判定用データ（ＳＰＣデータ）を保存するデータベース２を備えるＳＰＣシステム１と接続している。
【００２１】
異常判定処理部３は、ソフトウェアインターフェイスを備えており、これを介して統一した仕様のＳＰＣデータをデータ送信部７から受け取り、管理図を作成表示し品質異常判定処理を行うための各種演算処理を行う。
【００２２】
データ送信システム６は、生産ライン１１より検査測定データを収集するデータ収集部９と、収集した検査測定データからＳＰＣデータを作成するデータ変換部８と、異常判定処理部３に前記作成したＳＰＣデータを送信するデータ送信部７とを備えるコンピュータシステムである。
【００２３】
また、ＳＰＣシステム１は通信ネットワーク４を通じて生産ライン内および事務所等に、管理図表示のソフトウエアを備えた複数の管理図表示用端末５が接続される。管理図表示用端末５には品質異常の発生時には異常判定処理部３との通信により警報を発する警報装置を備えることもできる。
【００２４】
データ収集部９のデータ収集方法については、管理ＰＣ１３へ出力されるファイルから取得する方法や、検査測定装置１２のＰＬＣから取得する方法がある。データ収集部９は、複数の検査測定装置１２を対象に周期的にこれらを前記方法により取得するか、または図示しないが、通信ネットワーク４内に別途設置された端末からの人手によるデータ入力や、同じく通信ネットワーク４内に別途設置され、検査測定装置１２の検査測定データを別途収集している工程管理・品質管理システム等のデータベースから収集する方法も可能である。
【００２５】
データ変換部８は、前記データ収集部９が収集した検査測定データを受け取り、検査測定データと、データ変換部８が備える記憶装置１０に保持された定義情報とを参照し、異常判定処理部３へ送信するためのＳＰＣデータを検査測定データから作成するプログラム（以後、ＳＰＣデータ作成プログラムとも云う）を備え、このプログラムを実行することにより、この作成を行う。
【００２６】
データ変換部８が備える記憶装置１０に保持された定義情報は、検査測定装置毎に定義内容を一定の規則に従って記述したテキストファイルとし、ファイル名に装置を特定できる装置ＩＤを付けておく。または、定義情報はテキストファイルに限らず前記した工程管
理・品質管理システム等のデータベースに持つことも可能である。
【００２７】
図２は本実施形態に係わる定義情報をテキストファイルとした場合の一例である。検査測定装置を特定する装置ＩＤ（ＵＮＩＴ＿ＩＤ）、検査測定データの形式（ＴＹＰＥ）、ＳＰＣデータとして検査測定値（ＲＡＷ１〜３）と共に送信する装置や製品の品種、検査測定時間等の属性情報（ＫＥＹ１〜３）や、別途ＳＰＣデータ作成プログラム内で利用するデータ変換関数等を定義（ＦＵＮＣ１）することが可能である。
【００２８】
図２に示す定義情報例２０の場合、取得した装置の検査測定データはＣＳＶ形式のテキストファイルであり、検査測定データの何番目の項目をＳＰＣデータの属性情報（ＫＥＹ）の何番目とするかという情報や、何番目の項目を測定値（ＲＡＷ）の何番目にするかという情報を記述している。
【００２９】
また、定義情報内に前記したような工程管理や品質管理システム等のデータベースへの接続情報や取得するデータの情報を記述することにより、検査測定装置１２からの検査測定データでは取得できない情報を前記工程管理や品質管理システムから取得し、検査測定装置１２からの検査測定データと合わせてＳＰＣデータとして送信することも可能である。
【００３０】
図３はＳＰＣデータ作成プログラムの一連の動作を示すフローチャートである。ＳＰＣデータ作成プログラムは、データ収集部３から検査測定装置の検査測定データを受け取り（Ｓ１）、検査測定データからデータ元の検査測定装置を特定する装置ＩＤを得（Ｓ２）、その装置ＩＤをもとにその装置の定義情報を読み込み（Ｓ３）、定義情報に従って、検査測定データを切り出し、加工を行い（Ｓ４）、異常判定処理部３とのインターフェイス仕様に従ったデータ形式に変換してデータ送信部７に渡す（Ｓ５）。
【００３１】
取得データ仕様の変更があった場合や管理図表示に必要な情報を変更する場合には、プログラムを修正することなく、定義情報を修正すればよい。
【図面の簡単な説明】
【００３２】
【図１】本実施形態に係るデータ送信システムの一構成例とその一接続先例とを示す図。
【図２】検査測定装置の定義情報の一例を示す図。
【図３】データ作成プログラムによる一動作例を示すフローチャート。
【符号の説明】
【００３３】
１…ＳＰＣシステム
２…ＳＰＣシステムデータベース
３…異常判定処理部
４…通信ネットワーク
５…管理図表示用端末
６…データ送信システム
７…データ送信部
８…データ変換部
９…データ収集部
１０…記憶装置
１１…生産ライン
１２…検査測定装置
１３…管理ＰＣ
２０…定義情報例
【図１】
2008117260.tif 000003
【図２】
2008117260.tif 000004
【図３】
2008117260.tif 000005